(57)【要約】      （修正有）【課題】凹凸がある地面であっても害獣の侵入を防ぐことができ、地面を掘って侵入する害獣の侵入も防ぐことができる獣害防止フェンスを提供する。【解決手段】フェンス本体２が、地面に立てて設置可能である。敷設フェンス体３が、フェンス本体２の下端に、フェンス本体２との成す角度を直角を含む範囲で変更可能に設けられ、地面に沿って敷設可能となっている。上部フェンス体４が、フェンス本体２の上端に沿って、フェンス本体２との成す角度が１２０度になるよう傾斜して設けられている。フェンス本体２は、所定の間隔をあけて地面に刺して設置された複数の支柱５に、複数の固定部材により固定される。敷設フェンス体３は、アンカーピン６で地面に固定可能である。【選択図】図１
0003180611.tif 000002
【実用新案登録請求の範囲】
【請求項１】
地面に立てて設置されるフェンス本体と、
前記フェンス本体の下端に前記フェンス本体との成す角度を直角を含む範囲で変更可能に設けられ、地面に沿って敷設される敷設フェンス体とを、
有することを特徴とする獣害防止フェンス。
【請求項２】
地面に刺して設置可能な複数の支柱を有し、
所定の間隔をあけて地面に設置された各支柱に、前記フェンス本体を固定して設置されることを、
特徴とする請求項１記載の獣害防止フェンス。
【請求項３】
複数の固定部材を有し、各固定部材は一本の金属線材から成り、横方向に延びて中間部で折り返すよう形成された折返し部と、前記折返し部の両側で折り曲げて縦方向に伸びるよう形成された１対の伸長部と、前記折返し部と各伸長部との間に設けられ各伸長部の延長線に対して前記折返し部とは反対側に突出するよう形成された１対の湾曲部と、各伸長部の先端側に連続して設けられ折返し部側の横方向に湾曲して延びるよう形成された１対の係合部とを有し、
前記フェンス本体は複数の縦線材と複数の横線材とを交差させて形成され、
各固定部材の前記折返し部の内側に前記支柱を配置するとともに、各湾曲部の内側に前記横線材を配置した状態で、各係合部を前記支柱に係合させて、前記フェンス本体に前記支柱が固定されていることを、
特徴とする請求項２記載の獣害防止フェンス。
【請求項４】
前記フェンス本体の上端に傾斜して設けられた上部フェンス体を有し、
前記フェンス本体、前記敷設フェンス体および前記上部フェンス体は、複数の縦線材と複数の横線材とを交差させて形成され、
前記敷設フェンス体は、前記フェンス本体に対して前記上部フェンス体と同じ側に設けられてアンカーピンで地面に固定可能であり、
各支柱は異形棒鋼から成ることを、
特徴とする請求項３記載の獣害防止フェンス。
【考案の詳細な説明】
【技術分野】
【０００１】
本考案は、猪などの害獣の侵入を防止するための獣害防止フェンスに関する。
【背景技術】
【０００２】
近年、自然破壊によって野生動物の減少が叫ばれているが、一方で猪や鹿といった野生動物が人間の生活圏に侵入し、田畑や果樹園などの耕作地の農作物を食い荒したり、人間に危害を及ぼしたりするといった被害が多発している。このような被害を回避するために、耕作地や人間の生活圏などの所定区域に害獣が侵入しないよう、防獣ネットや防獣フェンスを構築することが行われている。従来の防獣フェンスは、網状で方形状を成しており、支柱を利用して地面に立てて設置されている（例えば、特許文献１または２参照）。
【先行技術文献】
【特許文献】
【０００３】
【特許文献１】実用新案登録第３０７２１５３号公報
【特許文献２】特開２００１−３３６３１５号公報
【考案の概要】
【考案が解決しようとする課題】
【０００４】
特許文献１や２に記載の従来の防獣フェンスは、山間部などの凹凸のある地面に設置するとき、フェンスの下端と地面との間に隙間が生じやすく、その隙間から害獣が侵入してしまうという課題があった。また、害獣がフェンス下端付近の地面を掘って侵入することがあり、これを防ぐこともできないという課題があった。
【０００５】
本考案は、このような課題に着目してなされたもので、凹凸がある地面であっても害獣の侵入を防ぐことができ、地面を掘って侵入する害獣の侵入も防ぐことができる獣害防止フェンスを提供することを目的とする。
【課題を解決するための手段】
【０００６】
上記目的を達成するために、本考案に係る獣害防止フェンスは、地面に立てて設置されるフェンス本体と、前記フェンス本体の下端に前記フェンス本体との成す角度を直角を含む範囲で変更可能に設けられ、地面に沿って敷設される敷設フェンス体とを、有することを特徴とする。
【０００７】
本考案に係る獣害防止フェンスは、フェンス本体の下端に設けられた敷設フェンス体を、害獣の侵入防止区域の外側に向けて地面に敷設し、フェンス本体を地面に立てて設置して使用される。このとき、敷設フェンス体がフェンス本体との成す角度を直角を含む範囲で変更可能に設けられているため、平坦地だけでなく、上り傾斜や下り傾斜の傾斜地でも、容易に設置することができる。
【０００８】
本考案に係る獣害防止フェンスは、フェンス本体を凹凸がある地面に設置したとき、フェンス本体の下端と地面との間に隙間が生じても、敷設フェンス体を地面に沿って敷設することにより、その隙間への侵入経路を塞ぐことができる。また、敷設フェンス体により、害獣がフェンス本体の下端付近の地面を掘るのを防ぐことができる。たとえ敷設フェンス体の手前から地面を掘ったとしても、侵入防止区域に抜けるまでの距離が長いため、掘り進めるのを断念させることができる。このように、本考案に係る獣害防止フェンスは、凹凸がある地面であっても害獣の侵入を防ぐことができ、地面を掘って侵入する害獣の侵入も防ぐことができる。
【０００９】
本考案に係る獣害防止フェンスでは、害獣が異物への乗り上げを嫌う性質を有しているため、敷設フェンス体に害獣が上がらない。このため、害獣がフェンス本体を飛び越そうとしたときに、跳躍地点をフェンス本体から遠ざけることができる。これにより、害獣の飛び越しを防止することができ、害獣の侵入を防ぐことができる。
【００１０】
本考案に係る獣害防止フェンスで、敷設フェンス体は、蝶番または連結コイルでフェンス本体に取り付けられていることが好ましい。また、フェンス本体と敷設フェンス体とが互いに閉じるよう構成されていてもよい。この場合、フェンス本体と敷設フェンス体とを閉じた状態で運搬したり保管したりすることができ、運搬が容易で、保管スペースを節約することができる。
【００１１】
本考案に係る獣害防止フェンスは、地面に刺して設置可能な複数の支柱を有し、所定の間隔をあけて地面に設置された各支柱に、前記フェンス本体を固定して設置されることが好ましい。この場合、地面に刺すことにより支柱を設置することができ、フェンス本体および敷設フェンス体を容易に設置することができる。
【００１２】
本考案に係る獣害防止フェンスは、複数の固定部材を有し、各固定部材は一本の金属線材から成り、横方向に延びて中間部で折り返すよう形成された折返し部と、前記折返し部の両側で折り曲げて縦方向に伸びるよう形成された１対の伸長部と、前記折返し部と各伸長部との間に設けられ各伸長部の延長線に対して前記折返し部とは反対側に突出するよう形成された１対の湾曲部と、各伸長部の先端側に連続して設けられ折返し部側の横方向に湾曲して延びるよう形成された１対の係合部とを有し、前記フェンス本体は複数の縦線材と複数の横線材とを交差させて形成され、各固定部材の前記折返し部の内側に前記支柱を配置するとともに、各湾曲部の内側に前記横線材を配置した状態で、各係合部を前記支柱に係合させて、前記フェンス本体に前記支柱が固定されていることが好ましい。この場合、固定部材により、支柱にフェンス本体を容易かつ確実に固定することができる。
【００１３】
本考案に係る獣害防止フェンスは、前記フェンス本体の上端に傾斜して設けられた上部フェンス体を有し、前記フェンス本体、前記敷設フェンス体および前記上部フェンス体は、複数の縦線材と複数の横線材とを交差させて形成され、前記敷設フェンス体は、前記フェンス本体に対して前記上部フェンス体と同じ側に設けられてアンカーピンで地面に固定可能であり、各支柱は異形棒鋼から成っていてもよい。
【００１４】
この上部フェンス体を有する場合、上部フェンス体が害獣の侵入防止区域の外側になるよう設置することにより、害獣に距離が近いように感じさせることができ、害獣の跳躍地点をフェンス本体から遠ざけることができる。これにより、害獣の飛び越しを防止することができ、害獣の侵入を防ぐことができる。また、上部フェンス体が忍び返しの効果も有しているため、害獣の乗越えを防ぐこともできる。上部フェンス体とフェンス本体とが成す角度は、１２０度前後が好ましい。
【００１５】
敷設フェンス体をアンカーピンで固定することにより、凹凸を有する地面であっても敷設フェンス体を固定することができ、フェンス本体と地面との隙間への侵入経路を容易に塞ぐことができる。異形棒鋼表面の凹凸により、支柱に取り付けた固定部材がずれないため、支柱とフェンス本体との固定状態が緩むのを防ぐことができる。
【００１６】
本考案に係る獣害防止フェンスで、フェンス本体は、小さな害獣や幼獣の侵入を防ぐよう、小さな害獣や幼獣が通過できない網目を有していることが好ましい。また、敷設フェンス体や上部フェンス体も、小さな害獣や幼獣が通過できない網目を有していることが好ましい。
【００１７】
本考案に係る獣害防止フェンスで、フェンス本体、敷設フェンス体、上部フェンス体、支柱、固定部材およびアンカーピンは、錆などの腐食を防止し、長期使用できるよう、耐食用のコーティングが施されていることが好ましい。特に、耐食だけでなく、環境にも配慮したノンクロムコーティングが施されていることが好ましい。
【考案の効果】
【００１８】
本考案によれば、凹凸がある地面であっても害獣の侵入を防ぐことができ、地面を掘って侵入する害獣の侵入も防ぐことができる獣害防止フェンスを提供することができる。
【図面の簡単な説明】
【００１９】
【図１】本考案の実施の形態の獣害防止フェンスを示す斜視図である。
【図２】図１に示す獣害防止フェンスの使用状態を示す斜視図である。
【図３】図１に示す獣害防止フェンスの、敷設フェンス体の取付状態を示す斜視図である。
【図４】図１に示す獣害防止フェンスの、固定部材を示す斜視図である。
【考案を実施するための形態】
【００２０】
以下、図面に基づき本考案の実施の形態について説明する。
図１乃至図４は、本考案の実施の形態の獣害防止フェンスを示している。
図１乃至図４に示すように、獣害防止フェンス１は、フェンス本体２と敷設フェンス体３と上部フェンス体４と複数の支柱５と複数のアンカーピン６と複数の固定部材７とを有している。
【００２１】
図１乃至図３に示すように、フェンス本体２、敷設フェンス体３および上部フェンス体４は、亜鉛アルミ合金メッキが施された複数の縦方向の縦線材１１と複数の横方向の横線材１２とを互いに直角に交差させ、各交点を固着して網状に形成されている。フェンス本体２は、概ね鉛直に地面に立てて設置される。敷設フェンス体３は、フェンス本体２の下端に沿って、蝶番または連結コイルでフェンス本体２に取り付けられている。図３に示すように、敷設フェンス体３は、フェンス本体２に対して閉じる位置から１８０度開く位置まで、フェンス本体２との成す角度を直角を含む範囲で変更可能に設けられている。敷設フェンス体３は、フェンス本体２を地面に立てて設置したとき、地面に沿って敷設可能に構成されている。
【００２２】
図１乃至図３に示すように、上部フェンス体４は、フェンス本体２の上端に沿って、フェンス本体２との成す角度が１２０度になるよう傾斜して設けられている。敷設フェンス体３および上部フェンス体４は、フェンス本体２に対して同じ側に配置されるよう設けられている。
【００２３】
図１および図２に示すように、各支柱５は、一端５ａが尖った異形棒鋼から成っており、一端５ａを地面に刺して設置し、フェンス本体２を固定するよう構成されている。各アンカーピン６は、金属製で、一端６ａが尖っており、他端６ｂが９０度折り曲げられた形状を成している。各アンカーピン６は、一端６ａを地面に刺して敷設フェンス体３を固定するよう構成されている。
【００２４】
図４に示すように、各固定部材７は、弾性を有する一本の金属線材から成り、折返し部７ａと１対の伸長部７ｂと１対の湾曲部７ｃと１対の係合部７ｄとを有している。折返し部７ａは、使用状態で横方向に延びるよう、金属線材の中間部で円弧状に折り返して形成されている。各伸長部７ｂは、折返し部７ａの両側で折り曲げて同じ方向に伸び、使用状態で縦方向に伸びるよう形成されている。各湾曲部７ｃは、折返し部７ａと各伸長部７ｂとの間に、各伸長部７ｂの延長線に対して折返し部７ａとは反対側に湾曲して突出するよう設けられている。各係合部７ｄは、各伸長部７ｂの先端側に連続して垂直に設けられ、使用状態で横方向に延びるよう折返し部７ａの側に湾曲して延び、先端側を折返し部７ａに対応するよう円弧状に折り返して形成されている。各係合部７ｄは、折返し部７ａからの距離が異なる互いにずれた位置に形成されている。
【００２５】
なお、具体的な一例では、フェンス本体２、敷設フェンス体３および上部フェンス体４は、長さが１９５０ｍｍ、縦方向に伸びる金属製の縦線材の間隔が１５０ｍｍである。フェンス本体２は、高さが７４０ｍｍ、横方向に延びる金属製の横線材の間隔が、上部で通常の害獣が通り抜けできない間隔の１５０ｍｍ（２段）、下部で小さな害獣や幼獣が通り抜けできない間隔の８０ｍｍ（５段）である。敷設フェンス体３および上部フェンス体４は、幅が２９０ｍｍ、横線材の間隔が１５０ｍｍである。また、地面に設置したときの、フェンス本体２の下端から上部フェンス体４の上端までの高さは、９９０ｍｍである。
【００２６】
次に、作用について説明する。
獣害防止フェンス１は、敷設フェンス体３および上部フェンス体４を害獣の侵入防止区域の外側に向けた状態で、敷設フェンス体３を地面に敷設し、フェンス本体２を概ね鉛直に地面に立て、所定の間隔をあけて地面に設置された各支柱５に各固定部材７によりフェンス本体２を固定し、各アンカーピン６で敷設フェンス体３を地面に固定して設置される。このとき、敷設フェンス体３がフェンス本体２との成す角度を、直角を含む範囲で変更可能に設けられているため、平坦地だけでなく、上り傾斜や下り傾斜の傾斜地でも、容易に設置することができる。また、図２に示すように、敷設フェンス体３をアンカーピン６で固定するため、凹凸を有する地面であっても敷設フェンス体３を固定することができる。
【００２７】
また、図２に示すように、各固定部材７の折返し部７ａの内側に支柱５を配置するとともに、各湾曲部７ｃの内側にフェンス本体２の横線材を配置した状態で、各係合部７ｄを支柱５に係合させることにより、支柱５にフェンス本体２を確実に固定することができる。各固定部材７が金属線材から成り、弾性を有しているため、各係合部７ｄの間から支柱５を挿入して各固定部材７を所定の位置に容易に取り付けることができるとともに、各係合部７ｄを容易に支柱５に係合させることができる。支柱５が異形棒鋼から成るため、異形棒鋼表面の凹凸により固定部材７がずれず、支柱５とフェンス本体２との固定状態が緩むのを防ぐことができる。
【００２８】
獣害防止フェンス１は、フェンス本体２を凹凸がある地面に設置したとき、フェンス本体２の下端と地面との間に隙間が生じても、敷設フェンス体３を地面に沿って敷設するため、その隙間への侵入経路を塞ぐことができる。また、敷設フェンス体３により、害獣がフェンス本体２の下端付近の地面を掘るのを防ぐことができる。たとえ敷設フェンス体３の手前から地面を掘ったとしても、侵入防止区域に抜けるまでの距離が長いため、掘り進めるのを断念させることができる。このように、獣害防止フェンス１は、凹凸がある地面であっても害獣の侵入を防ぐことができ、地面を掘って侵入する害獣の侵入も防ぐことができる。
【００２９】
獣害防止フェンス１では、害獣が異物への乗り上げを嫌う性質を有しているため、敷設フェンス体３に害獣が上がらない。このため、害獣がフェンス本体２を飛び越そうとしたときに、跳躍地点をフェンス本体２から遠ざけることができる。また、上部フェンス体４が害獣の侵入防止区域の外側になるよう設置することにより、害獣に距離が近いように感じさせることができ、害獣の跳躍地点をフェンス本体２から遠ざけることができる。これらにより、害獣の飛び越しを防止することができ、害獣の侵入を防ぐことができる。また、上部フェンス体４が忍び返しの効果も有しているため、害獣の乗越えを防ぐこともできる。
【００３０】
獣害防止フェンス１は、フェンス本体２と敷設フェンス体３とを閉じた状態で運搬したり保管したりすることができ、運搬が容易で、保管スペースを節約することができる。フェンス本体２、敷設フェンス体３および上部フェンス体４に亜鉛アルミ合金メッキが施されているため、耐食性が高く、錆などの腐食を防止して長期使用することができる。
【００３１】
獣害防止フェンス１は、害獣の侵入防止区域が広い場合であっても、横方向に複数をつなぎ合わせることにより、侵入防止区域に害獣が侵入しないよう設置することができる。このとき、つなぎ合わせ部分を強化して、つなぎ合わせ部分から害獣が侵入するのを防ぐよう、フェンス本体２の両端部に縦方向の縦線材１１が配置されていることが好ましい。
【符号の説明】
【００３２】
１  獣害防止フェンス
２  フェンス本体
３  敷設フェンス体
４  上部フェンス体
５  支柱
６  アンカーピン
７  固定部材
７ａ  折返し部
７ｂ  伸長部
７ｃ  湾曲部
７ｄ  係合部
１１  縦線材
１２  横線材
【図４】
0003180611.tif 000003
【図１】
0003180611.tif 000004
【図２】
0003180611.tif 000005
【図３】
0003180611.tif 000006